(57)【特許請求の範囲】
【請求項１】
支持脚と、
前記支持脚の上端に結合する天板と、
前記天板から延びる支持部材と、
前記支持部材に沿って移動可能な上端と前記天板に移動可能に置かれる下端を有し、前記天板に対して傾斜する第１の位置と前記天板に対して垂直な第２の位置との間および前記第１の位置と前記天板に対して平行な第３の位置との間で移動可能な移動板と、
前記支持部材に回転可能に連結し、下端が前記移動板に移動可能に置かれ、前記移動板の移動に連動する垂直板と、
を含む机。
【請求項２】
前記支持部材は、前記支持部材の上端に結合し前記支持部材に沿ったガイド溝を有する連結部材をさらに含み、
前記移動板は前記移動板の上端に結合して前記ガイド溝内で移動する移動部材を含み、
前記連結部材は前記ガイド溝の上側および下側に結合するダンパを含む、
請求項１に記載の机。
【請求項３】
前記支持部材は、
下端が前記天板にヒンジ結合する第１のリンク部材と、
下端が前記天板上で前後方向に移動し前記第１のリンク部材と互いにヒンジ結合する第２のリンク部材と、
下端が前記第２のリンク部材の上端にヒンジ結合する第３のリンク部材と、
下端が前記第１のリンク部材の上端にヒンジ結合し、上端が前記第３のリンク部材の上端にヒンジ結合する第４のリンク部材と、
前記第４のリンク部材の上端に結合し前記第４のリンク部材に沿ったガイド溝を有する連結部材と、
前記第２のリンク部材の下端を前記天板上で前後方向に移動させるための駆動手段と、を含み、
前記移動板は前記移動板の上端に結合して前記ガイド溝内で移動する移動部材を含む、
請求項１に記載の机。
【請求項４】
前記支持部材は、
下端が前記天板上で左右方向に移動する第１のリンク部材と、
下端が前記天板上で左右方向に移動し前記第１のリンク部材と互いにヒンジ結合する第２のリンク部材と、
下端が前記第２のリンク部材の上端にヒンジ結合する第３のリンク部材と、
下端が前記第１のリンク部材の上端にヒンジ結合する第４のンク部材と、
前記第３および第４のリンク部材の上端がそれぞれヒンジ結合する横バーと、
前記横バーの両端から垂直に延び前記横バーに対して垂直なガイド溝を有する連結部材と、
前記第１および第２のリンク部材の下端のうちのいずれか一つを前記天板上で左右方向に移動させるための駆動手段と、を含み、
前記移動板は前記移動板の上端に結合して前記ガイド溝内で移動する移動部材を含み、
前記駆動手段は、
前記天板に結合する駆動モータと、
前記駆動モータの回転軸に結合するネジ軸と、
前記ネジ軸にネジ結合する第１のナット部材と、
前記ネジ軸に沿ってスライドする第２のナット部材と、を含み、
前記第１および第２のリンク部材の下端のうちのいずれか一つが前記第１のナット部材にヒンジ結合し、前記第１および第２のリンク部材の下端のうちの残りの一つが前記第２のナット部材にヒンジ結合する、
請求項１に記載の机。
【請求項５】
前記支持部材は、
下端が前記天板にヒンジ結合する第１および第２のリンク部材と、
下端が前記第１のリンク部材の上端にヒンジ結合する第３のリンク部材と、
下端が前記第２のリンク部材の上端にヒンジ結合する第４のリンク部材と、
前記第３および第４のリンク部材の上端がそれぞれヒンジ結合する横バーと、
前記横バーの両端から垂直に延び前記横バーに対して垂直なガイド溝を有する連結部材と、
前記横バーを移動させるための駆動手段と、を含み、  
前記移動板は前記移動板の上端に結合して前記ガイド溝内で移動する移動部材を含む、
請求項１に記載の机。
【請求項６】
前記支持部材は、
前記支持脚に挿入され上下方向にスライドする第１および第２のガイド部材と、
前記ガイド部材の間に配置される横バーと、
前記横バーの両端から垂直に延び前記横バーに対して垂直なガイド溝を有する連結部材と、
前記横バーを移動させるための駆動手段と、を含み、  
前記移動板は前記移動板の上端に結合して前記ガイド溝内で移動する移動部材を含む、
請求項１に記載の机。
【請求項７】
一端が前記天板にヒンジ結合し前記移動板の後面にヒンジ結合する第２の支持部材をさらに含む、請求項１に記載の机。
【請求項８】
前記天板は、
前記支持脚に結合する第１の天板と、
一端が前記支持脚に回転可能に結合する支持アームと、  
前記支持アームの他端に回転可能に結合する第２の天板フレームを有し前記第２の天板フレームに対してスライド可能な第２の天板とを含む、
請求項１に記載の机。
【請求項９】
前記移動板は、
前記移動板の両側に結合し前記移動板を回転可能に支持する移動板フレームと、
前記移動板フレームの下端に回転可能に結合して前記移動板の下端を前記天板から離隔させる伸縮可能な第１のアームと、
前記第１のアームの端部に結合する第１の移動部材と、
前記移動板フレームの上端に結合する第２のアームと、
前記第２のアームの端部に結合する第２の移動部材と、  
前記移動板の下端に折り畳み式に結合する受け台と、を含み、
前記垂直板は、
前記垂直板の両側に結合する垂直板フレームと、
前記垂直板フレームの下端に結合して前記垂直板の下端を前記移動板から離隔させる伸縮可能なアームと、
前記アームの端部に結合する移動部材と、
前記垂直板の下端に結合する受け台とを含む、
請求項１に記載の机。
【請求項１０】
一端が前記支持部材に回転可能に結合し、他端が前記垂直板に回転可能に結合し、伸縮可能なリンクアームをさらに含む、請求項１に記載の机。
【請求項１１】
前記移動板の下端を前記天板に沿って移動させるための駆動手段をさらに含む、請求項１に記載の机。
【請求項１２】
前記支持脚と、前記第２の天板と、前記移動板と、前記垂直板とをそれぞれ駆動する駆動手段と、
前記駆動手段を操作する操作部と、
前記操作部の操作により、前記駆動手段の駆動方向と、回転角度と、移動距離を制御するように構成される制御部をさらに含む、請求項８に記載の机。
【請求項１３】
前記移動板の上端を前記支持部材に沿って移動させるための駆動手段をさらに含む、請求項１に記載の机。
【請求項１４】
前記移動板は前記移動板の側部に折り畳み式に結合する第１の補助板をさらに含み、前記垂直板は前記垂直板の側部に折り畳み式に結合する第２の補助板をさらに含む、請求項１に記載の机。
【請求項１５】
前記垂直板の上側に結合する拡張板をさらに含み、前記拡張板は前記拡張板の左右側に折り畳み式に結合する第３の補助板をさらに含む、請求項１に記載の机。
【請求項１６】
前記移動板は、固定板と、前記固定板の一端に回転可能に結合する回転板とを含む、請求項１に記載の机。
【請求項１７】
前記天板、前記移動板、または前記垂直板に配置されるフラットディスプレイと、
画像カメラと、
前記フラットディスプレイと電気的に連結するコンピュータの本体と、をさらに含む、
請求項１に記載の机。
【請求項１８】
前記机を垂直方向に昇降させるための第２の駆動手段をさらに含む、請求項１に記載の机。
【請求項１９】
前記移動板および前記垂直板は中央部が後方に窪んだ形状のラウンド板を含む、請求項１に記載の机。
【請求項２０】
前記移動板は円弧状にまたは円状に配置されるように前記移動板の両側部から連続的に連結する複数の移動板を含み、
前記垂直板は円弧状にまたは円状に配置されるように前記垂直板の両側部から連続的に連結する複数の垂直板を含む、
請求項１に記載の机。
【請求項２１】
互いに対向するように離隔して配置される一対の収納クローゼットと、
前記収納クローゼットの間に配置される机と、
前記机を垂直に昇降させるための第２の駆動手段とを含み、
前記机は、
支持脚と、
前記支持脚の上端に結合する天板と、
前記天板から延びる支持部材と、
前記支持部材に沿って移動可能な上端と前記天板に移動可能に置かれる下端を有し、前記天板に対して傾斜する第１の位置と前記天板に対して垂直な第２の位置との間および前記第１の位置と前記天板に対して平行な第３の位置との間で移動可能な移動板と、
前記支持部材に回転可能に連結し、下端が前記移動板に移動可能に置かれ、前記移動板の移動に連動する垂直板と、を含む、
システム家具。
【請求項２２】
前記収納クローゼットは、
固定収納クローゼットと、  
前記固定収納クローゼットに対して引き出しおよび押し込みが可能な可動収納クローゼットと、
前記固定収納クローゼットの内部で上下に移動可能な重りと、を含む、
請求項２１に記載のシステム家具。
【請求項２３】
前記収納クローゼットの間で前記机に対向するように配置され、前記第２の駆動手段により昇降する映像表示装置をさらに含む、請求項２１に記載のシステム家具。
【請求項２４】
前記収納クローゼットの間で昇降するように設けられるベッドと、
前記ベッドを昇降させるための第３の駆動手段と、をさらに含む、
請求項２１に記載のシステム家具。
【請求項２５】
前記収納クローゼットの間の床に配置される複数のソファをさらに含む、請求項２１に記載のシステム家具。
【請求項２６】
前記天板、前記移動板、または前記垂直板に配置されるフラットディスプレイと、
画像カメラと、
前記フラットディスプレイと電気的に連結するコンピュータの本体と、
をさらに含む、
請求項２１に記載のシステム家具。
【請求項２７】
前記支持部材は、
下端が前記天板にヒンジ結合する第１のリンク部材と、
下端が前記天板で前後方向に移動して前記第１のリンク部材と互いにヒンジ結合する第２のリンク部材と、
下端が前記第２のリンク部材の上端にヒンジ結合する第３のリンク部材と、
下端が前記第１のリンク部材の上端にヒンジ結合し、上端が前記第３のリンク部材の上端にヒンジ結合する第４のリンク部材と、
前記第４のリンク部材の上端に結合し前記第４のリンク部材に沿ったガイド溝を有する連結部材と、を含み、
前記移動板は前記移動板の上端に結合して前記ガイド溝内で移動する移動部材を含む、
請求項２１に記載のシステム家具。
【請求項２８】
請求項２１乃至２７の何れか１項に記載のシステム家具と、
前記机の一側に結合する立体音響システムと、
を含むマルチメディアルーム。
【発明の詳細な説明】
【技術分野】
【０００１】
本発明は正しい姿勢のための机およびこれを備えるシステム家具に関するものである。
【背景技術】
【０００２】
人類の発展は人間の知的生産活動が蓄積された結果である。人間の知的生産活動に寄与した基本道具は机である。図１は従来の机の使用例を示す側面図である。図１に示すように、従来の机１０は水平板１１と支持脚１２からなる。水平板１１は支持脚１２に固定されているので、ユーザーは水平板に置かれた本や書類を見るために上体を曲げて使用することになる。このとき、正しくない姿勢は首、肩、腰などの痛みを招く。特に、このような痛みは長時間座って学習をする受験生や業務を行う会社員に頻繁に発生する。例えば、長時間頭を前に倒している場合、倒した頭を支えるために首骨がＩ字状になり首骨周辺の筋肉が緊張する。その結果、首と肩の痛みを招いて首ディスク（頚椎椎間板ヘルニア）に発展する恐れもある。
【０００３】
上述したような従来の机の問題を解決するために、多様な形態の机が開発されてきた。そのような机の一例として、大韓民国登録実用新案第２０-０１８２１８０号に開示された学習用机の使用例を図２に示している。図２に示すように、学習用机２０は水平板２１と支持脚２２とを備える。水平板２１は回転軸２１ａを中心に支持脚２２に対して回転可能に構成される。従って、水平板２１の傾斜角を調節することができる。しかし、水平板２１の傾斜角を調節しても、ユーザーが上体を曲げる程度が改善されるに過ぎない。従って、ユーザーは依然として上体を曲げた状態で机を使用しなければならない問題がある。
【発明の概要】
【発明が解決しようとする課題】
【０００４】
本発明は上記のような問題を解決するためのものであって、本発明の目的は正しい姿勢のために多様な形態の机を提供することである。
【０００５】
本発明のもう一つの目的は机を備える多様な形態のシステム家具を提供することである。
【課題を解決するための手段】
【０００６】
本発明の一実施形態による机は天板と、支持脚と、支持部材と、移動板と、垂直板とを含む。天板は支持脚の上端に結合する。支持部材は天板から延びる。移動板は支持部材に沿って移動可能な上端と天板に移動可能に置かれる下端とを有する。移動板は天板に対して傾斜する第１の位置と天板に対して垂直な第２の位置との間および第１の位置と天板に対して平行な第３の位置との間で移動可能である。垂直板は支持部材に回転可能に結合する。垂直板は下端が移動板に移動可能に置かれる。垂直板は移動板の移動に連動する。
【０００７】
本発明の一実施形態による机は支持脚と、天板と、第１の傾斜板と、第２の傾斜板とを含む。天板は支持脚の上端に結合する。第１の傾斜板の下端が天板の上面に回転可能に結合する。第２の傾斜板の下端が第１の傾斜板の上端に回転可能に結合する。
【０００８】
本発明の一実施形態による机は天板と、仕切り板と、支持部材と、移動板と、垂直板とを含む。仕切り板は天板の両端および後端に垂直に結合する。支持部材は天板から延びる。移動板は支持部材に沿って移動可能な上端と天板に移動可能に置かれる下端を有する。移動板は天板に対して傾斜する第１の位置と天板に対して垂直な第２の位置との間および第１の位置と天板に対して平行な第３の位置との間で移動可能である。垂直板は支持部材に回転可能に結合する。垂直板は下端が移動板に移動可能に置かれる。垂直板は移動板の移動に連動する。
【０００９】
本発明の一実施形態による机は水平板と、第１の傾斜板と、第２の傾斜板とを含む。第１の傾斜板の下端は水平板に回転可能に結合する。第２の傾斜板の下端は第１の傾斜板の上端に回転可能に結合する。
【００１０】
本発明の一実施形態によるシステム家具は収納クローゼットと、机および第２の駆動手段とを含む。一対の収納クローゼットは互いに離隔して配置される。机は収納クローゼットの間に配置される。机は支持脚と、天板と、支持部材と、移動板と垂直板とを含む。第２の駆動手段は机を垂直に昇降させる。
【００１１】
本発明の一実施形態によるマルチメディアルームはシステム家具と、机の一側に結合する立体音響システムとを含む。
【発明の効果】
【００１２】
第一に、本発明による机は天板と、移動板と、垂直板とを備え、ユーザーは上体を曲げずに正しい姿勢を維持した状態で移動板に置かれた書類または書籍を眺めることができる。従って、上体の曲げなどによる首または肩の痛みを予防することができる。また、ユーザーは頭を若干前に倒すことによって移動板に置かれた書類または書籍を眺めることができる。即ち、移動板および垂直板をともに用いる場合にも、ユーザーは視線の移動を最小化して業務の効率性を向上できる。
【００１３】
第二に、本発明による机は多様な形態の支持部材を備え、ユーザーが移動板および垂直板を用いない場合、移動板および垂直板を垂直方向または水平方向に重ねることができる。この状態で、ユーザーは天板を用いることができる。また、ユーザーの体型や姿勢によって移動板の傾斜角および垂直板の高さを調節することができる。
【００１４】
第三に、本発明による机は、第１の補助板と、第２の補助板と、拡張板と、第３の補助板とを備え、ユーザーに広い業務空間を提供する。また、本発明による天板は第１の天板と第２の天板とを含み、ユーザーは第２の天板の位置および傾斜角を多様に調節して用いることができる。
【００１５】
第四に、本発明によるシステム家具の収納クローゼットは固定収納クローゼットと可動収納クローゼットとを備え、固定収納クローゼットの内部空間を他の用途に用いることができる。また、映像表示装置と、机とベッドは垂直方向に昇降するように構成され、空間の活用度を向上させる。また、本発明によるシステム家具は一つのモジュールとして構成されており移動式住宅またはワンルームなどに適用してもよい。また、本発明によるシステム家具は立体音響システムとＷｅｂカメラとをさらに備えておりマルチメディアルームを具現することができる。
【図面の簡単な説明】
【００１６】
【図１】従来の机の使用例を示す側面図である。
【図２】従来の机の使用例を示す側面図である。
【図３】本発明の一実施形態による机を示す斜視図である。
【図４】図３の机の使用例を示す斜視図である。
【図５】図３のＡ部分を後方から眺めた図面である。
【図６】図３の机の他の使用例を示す斜視図である。
【図７】本発明の他の実施形態による机を示す側面図である。
【図８】図７の机の使用例を示す側面図である。
【図９】図７の机の他の使用例を示す斜視図である。
【図１０】本発明の他の実施形態による机を示す側面図である。
【図１１】本発明の他の実施形態による机を示す斜視図である。
【図１２】図１１のＢ部分を示す拡大図である。
【図１３】図１１の机の使用例を示す側面図である。
【図１４】本発明の他の実施形態による机を示す斜視図である。
【図１５】図１４を後方から眺めた概略図である。
【図１６】本発明の他の実施形態による机を示す背面図である。
【図１７】本発明の他の実施形態による机を示す背面図である。
【図１８】本発明の他の実施形態による机を示す背面図である。
【図１９】本発明の他の実施形態による机を示す背面図である。
【図２０】本発明の他の実施形態による机を示す斜視図である。
【図２１】図２０のＣ部分の拡大斜視図である。
【図２２】本発明の他の実施形態による机を示す正面図である。
【図２３】本発明の一実施形態による移動板を示す正面図である。
【図２４】本発明の他の実施形態による机を示す斜視図である。
【図２５】本発明の他の実施形態による机を示す斜視図である。
【図２６】図２５のＤ部分の拡大図である。
【図２７】本発明の他の実施形態による机を示す斜視図である。
【図２８】本発明の他の実施形態による机を示す斜視図である。
【図２９】本発明の他の実施形態による机を示す斜視図である。
【図３０】本発明の一実施形態によるシステム家具を示す斜視図である。
【図３１】図３０の収納クローゼットの使用例を示す斜視図である。
【図３２】本発明の他の実施形態によるシステム家具を示す斜視図である。
【図３３】図３２の駆動手段を示す概略図である。
【図３４】図３２のシステム家具の使用例を示す斜視図である。
【発明を実施するための形態】
【００１７】
以下、添付した図面を参照して多様な実施形態による机およびこれを備えるシステム家具を詳細に説明する。
【００１８】
図３を参照すると、本発明の一実施形態による机１００は支持脚１１０と、天板１２０と、支持部材１３０と、移動板１４０と、垂直板１５０とを含む。以下の説明において、「前方」は机使用時のユーザー側を示し、「後方」は前記「前方」の反対側を示す。そして、左右方向は前方と後方に垂直な方向を示す。天板１２０は机の使用時、ユーザーに近い前端と、前記前端に対向してユーザーから最も遠くに位置する後端を有してもよい。
【００１９】
支持脚１１０は天板１２０を支持する役割をする。机１００の容易な移動のために支持脚１１０の下端にはキャスターが備えられてもよく、キャスターはレバーにより固定可能に構成されてもよい。支持脚１１０は通常の机用支持脚のように形成されてもよく、また支持脚１１０の長さが調節できるように構成されてもよい。このために、支持脚１１０は地面側に配置される下部脚１１１と下部脚１１１の上側に配置される上部脚１１２とを備える。下部脚１１１および上部脚１１２のうちのいずれか一つは残りの一つの内側に挿入されるように構成されてもよい。上部脚１１２は駆動手段により下部脚１１１に対し上下方向に電動で移動できる。従って、ユーザーは自身の体型に合うように支持脚１１０の長さを調節して用いることができる。その結果、天板１２０の高さが調節される。また、ユーザーは支持脚１１０の長さ調節によって座っている状態や立っている状態で学習または業務を行うことができる。
【００２０】
天板１２０は支持脚１１０の上側に結合する。天板１２０は一つの板からなることもよいが、複数の板からなることもよい。図３および図４に示すように、天板１２０は第１の天板１２１と第２の天板１２２とを含んでもよい。第１の天板１２１は支持脚１１０に固定されて移動板１４０のスライド移動を支持する。
【００２１】
第２の天板１２２は第１の天板１２１に対し移動可能に構成される。図３〜図５に示すように、第２の天板１２２は第１の天板１２１に対し前後位置、上下高さおよび傾斜度が調節可能である。第２の天板１２２は第２の天板フレーム１２３と、支持部材１２４と、支持アーム１２５により支持脚１１０に結合する。第２の天板フレーム１２３は第２の天板１２２が前後方向にスライド可能なように第２の天板１２２の両側端部に結合する。第２の天板１２２は駆動手段により電動でスライドすることができる。第２の天板フレーム１２３の下側には支持部材１２４が結合する。第２の天板１２２の前方側にはユーザーのひじを支持するためのクッション部材１２２ａが装着されてもよい。クッション部材１２２ａはシリコンまたはラテックスの材質からなってもよい。
【００２２】
支持アーム１２５の一端は支持脚１１０に回転可能に結合し、他端は支持部材１２４に回転可能に結合する。このために、図５に示すように、支持脚１１０には固定円板１１０ａが固定され、支持アーム１２５の一端には固定円板１１０ａに選択的に面接触する（または噛み合う）回転円板１２５ａが備えられてもよい。この場合、固定円板１１０ａと回転円板１２５ａはレバー１１０ｂの回転により面接触したり離隔する。即ち、固定円板１１０ａが回転円板１２５ａと面接触すると支持アーム１２５の一端の回転が規制され、固定円板１１０ａが回転円板１２５ａから離隔すると支持アーム１２５の一端の回転が許容される。また、このような構成は支持部材１２４と支持アーム１２５の他端との間に適用されてもよい。そして、支持アーム１２５の両端にギヤ歯（ｇｅａｒ  ｔｏｏｔｈ）が形成され、支持脚１１０または支持部材１２４にギヤ歯に噛み合うギヤと駆動モータとが備えられてもよい。この場合、第２の天板１２２の位置、高さおよび傾斜度が電動で調節できる。
【００２３】
支持部材１３０は第１の天板１２１の後方の両側に垂直に設けられる。支持部材１３０は多様な形状の棒からなってもよい。支持部材１３０の上側には連結部材１３１が結合する。従って、連結部材１３１が支持部材１３０に結合した状態で、連結部材１３１が対向する面にはガイドチャンネル１３１ａが形成される。連結部材１３１は垂直板１５０を連結する役割をし移動板１４０の上端の移動をガイドする。図示する実施形態とは異なりガイドチャンネルは支持部材１３０の上側に溝状に形成されてもよい。ガイドチャンネル１３１ａの上下側にはダンパが備えられてもよい。ダンパは移動板１４０の上端がガイドチャンネル１３１ａの上下側に到達するときに発生する衝撃を緩和する役割をする。
【００２４】
移動板１４０の上下端および垂直板１５０の下端は滑らかな移動のための移動部材を備える。図示する実施形態において、移動板１４０の上下端および垂直板１５０の下端には移動部材としてローラが備えられているが、本発明はこれに限定されない。例えば、移動部材は多様な種類の転がり部材とスライド部材とを含んでもよい。
【００２５】
移動板１４０の両側には移動板フレーム１４１が結合しており、移動板１４０は移動板フレーム１４１に対し回転可能に結合してもよい。移動板１４０は支持部材１３０に沿って移動可能な上端と天板１２０に移動可能に置かれる下端を有する。移動板１４０は天板１２０に対し傾斜する第１の位置（図３および図４参照）と天板１２０に対し垂直な第２の位置（図６参照）との間で移動可能である。このような構成により、ユーザーは天板１２０と移動板１４０との間の空間を活用することもできる。例えば、前記空間内には本、ノートまたは筆記道具などを保管することができる。移動板１４０の下端には本や書類を支持するための第１の受け台１４２が備えられている。図３に示す実施形態において、第１の受け台１４２は複数からなり移動板１４０の長手方向に沿って離隔して設けられる。また、第１の受け台１４２は移動板１４０の下端に折り畳み式に結合してもよい。具体的には、第１の受け台１４２は移動板１４０に完全に重なる位置と移動板１４０に対し略直交する位置との間で回転するように構成される。従って、第１の受け台１４２が移動板１４０に重なった状態において、ユーザーは移動板１４０に置かれた本や書類などに筆記することができる。また、第１の受け台は一つからなることができ、移動板１４０に対し略直交するように固定して結合することができる。
【００２６】
移動板１４０の下端は天板１２０上で前後方向に移動可能であり、上端はガイドチャンネル１３１ａ内で上下方向に移動可能である。移動板１４０の傾斜角は移動板１４０の上端および下端の移動により調節することができる。
【００２７】
移動板フレーム１４１の下端には第１のアーム１４３によって第１のローラ１４４が装着される。第１のアーム１４３の一端は移動板フレーム１４１の下端に固定してまたは回転可能に結合し、他端には第１のローラ１４４が回転可能に結合する。前述の支持アーム１２５と支持脚１１０との回転可能な結合は第１のアーム１４３の一端と移動板フレーム１４１にも同一または類似に適用してもよい。また、第１のアーム１４３は長さ調節可能に構成されてもよい。例えば、第１のアームは移動板フレームの下端に結合する固定部材と固定部材に対して引き出し可能な可動部材からなってもよい。従って、第１のアーム１４３の長さ調節および回転により、移動板１４０と天板１２０との間の高さが調節でき、移動板１４０の傾斜角を調節することができる。
【００２８】
第２のアーム１４５の一端は移動板フレーム１４１の上端に固定して結合する。第２のローラ１４６は第２のアーム１４５の他端に回転可能に結合する。
【００２９】
垂直板１５０の両側には垂直板フレーム１５１が結合しており、垂直板１５０は垂直板フレーム１５１に対して回転可能に結合している。垂直板１５０は支持部材１３０に回転可能に連結し、下端が移動板１４０に移動可能に置かれ、移動板１４０の移動に連動する。このような構成により、垂直板１５０の後方空間を活用することもできる。例えば、垂直板１５０の後方空間に本たてが備えられてもよい。垂直板１５０の下端には本や書類を支持するための第２の受け台１５２が備えられている。第２の受け台１５２は移動板１４０の下端に備えられた第１の受け台１４２と同一または類似に構成されてもよい。
【００３０】
垂直板１５０は垂直板フレーム１５１および複数のリンクアーム１５３により連結部材１３１に連結する。リンクアーム１５３の一端は連結部材１３１に回転可能に結合し、他端は垂直板フレーム１５１に回転可能に結合する。従って、垂直板１５０は支持部材１３０に対する平行状態を維持しながら上下に移動可能である。リンクアーム１５３の一端が連結部材１３１に結合する位置またはリンクアーム１５３の他端が垂直板１５０に結合する位置を変更することによって、連結部材１３１と垂直板フレーム１５１との間の距離を調節することができる。他の例として、リンクアーム１５３は伸縮可能に構成されてもよい。
【００３１】
垂直板１５０の下端は移動板１４０上で上方または下方に移動可能である。垂直板フレーム１５１の下端には第３のアーム１５４によって第３のローラ１５５が装着される。第３のアーム１５４の一端は垂直板フレーム１５１に固定され、他端には第３のローラ１５５が回転可能に結合する。第３のアーム１５４は長さ調節可能に構成されてもよい。例えば、第３のアームは垂直板フレーム１５１の下端に結合する固定部材と固定部材に対して引き出し可能な可動部材からなってもよい。従って、垂直板１５０と移動板１４０との間の高さが調節され、垂直板１５０の高さを調節することができる。
【００３２】
移動板１４０の下端（例えば、第１のローラ１４４）が天板１２０に沿って後方へ移動したり上端（例えば、第２のローラ１４６）がガイドチャンネル１３１ａ内で上方に移動すると、垂直板１５０の下端（例えば、第３のローラ１５５）が移動板１４０に沿って下方かつ前方へ移動する。この場合、垂直板１５０は支持部材１３０に平行に支持部材１３０に近づく。移動板１４０の下端が天板１２０に沿って前方へ移動したり上端がガイドチャンネル１３１ａ内で下方に移動すると、垂直板１５０の下端が移動板１４０に沿って上方かつ後方へ移動する。この場合、垂直板１５０は支持部材１３０と平行に支持部材１３０から遠ざかる。
【００３３】
ユーザーは図３に示す状態において移動板１４０および垂直板１５０に書籍や書類などを載置して学習または業務を行うことができる。例えば、耳と肩と股関節が地面に対して垂直に位置する正しい姿勢を維持した状態で、ユーザーは垂直板１５０を眺めることができる。また、ユーザーは、頭を若干前に倒すことによって移動板１４０を眺めることができる。即ち、移動板１４０および垂直板１５０をともに用いる場合にも、ユーザーは視線の移動を最小化して業務の効率性を向上できる。移動板１４０を用いない場合、ユーザーは移動板１４０の下端を後方へ移動させ、図６に示すように、移動板１４０および垂直板１５０を天板１２０に対して垂直な方向に重ねることができる。この場合、第１のアーム１４３は回転して移動板フレーム１４１とほぼ一直線をなすことができる。図６に示す状態においても、ユーザーは天板１２０および垂直板１５０を用いて学習や業務を行うことができる。また、ユーザーは自身の体型や姿勢に応じて移動板１４０の角度を調節して用いることができる。移動板１４０の傾斜角調節によって垂直板１５０の高さが調節される。さらに、ユーザーは、図４に示すように、第２の天板１２２の前後位置、上下高さおよび傾斜度などを調節して用いることができる。
【００３４】
第１〜第３のローラ１４４、１４６、１５５の転がり運動時の摩擦騒音を最小化するために、第１〜第３のローラ１４４、１４６、１５５はゴムまたはシリコンなどの材質で製造されるか、または第１〜第３のローラ１４４、１４６、１５５の外周面にゴムまたはシリコンなどの材質がコーティングされてもよい。
【００３５】
本実施形態において、駆動手段は油空圧アクチュエータ、ベルトおよびプーリ、ラックピニオンギヤ、ボールネジなどを含む。
【００３６】
図７〜図９を参照すると、本発明の他の実施形態による机２００は、支持脚１１０と、天板１２０と、支持部材２３０と、移動板１４０と、垂直板１５０と本たて２６０とを含む。本実施形態における机２００は、支持部材２３０および本たて２６０の構成を除いては、図３〜図６に示す実施形態による机１００と同一または類似の構成を有する。よって、本実施形態では支持部材２３０と本たて２６０について詳細に説明する。
【００３７】
支持部材２３０は天板１２０の後方側に垂直に設けられる。支持部材２３０には連結部材２３１が上下方向にスライド可能に結合する。このために、支持部材２３０には連結部材２３１のスライド移動のためのガイド部材２３２が形成される。移動板１４０は天板１２０に対し傾斜する第１の位置（図７参照）と天板１２０に対し垂直な第２の位置（図８参照）との間および第１の位置と天板１２０に対し平行な第３の位置（図９参照）との間で移動可能である。従って、移動板１４０が第１の位置と第２の位置との間および第１の位置と第３の位置との間で移動するに伴い、連結部材２３１はガイド部材２３２に沿って上方または下方にスライドする。これと同時に、垂直板１５０の下端が移動板１４０に沿って下方または上方に移動する。また、連結部材２３１は駆動手段により電動で上下方向に移動することもできる。この場合、連結部材２３１の移動により移動板１４０の傾斜角が調節され垂直板１５０の高さが調節される。例えば、駆動手段は油空圧アクチュエータ、ベルトおよびプーリ、ラックピニオンギヤ、ボールネジなどを含んでもよい。
【００３８】
本たて２６０は多段で構成され支持部材２３０の後方に配置されてもよい。図７に示す状態において、ユーザーは移動板１４０を移動板フレーム１４１に対して上方に回転させたり垂直板１５０を垂直板フレーム１５１に対して前方に回転させて本たて２６０を用いることができる。また、図９に示すように連結部材２３１が下方に移動した状態でユーザーは本たて２６０を用いることもできる。この場合、第１のアーム１４３は回転して水平板１２０とほぼ平行に配置されてもよい。移動板１４０の下端が支持部材２３０に向かって後方に移動すると、移動板１４０および垂直板１５０は、図８に示すように重ねられる。
【００３９】
図１０を参照すると、本発明の他の実施形態による机３００は、支持脚１１０と、天板１２０と、支持部材１３０と、移動板１４０と、垂直板１５０と、第２の支持部材１３２とを含む。移動板１４０は天板１２０に対して傾斜する第１の位置（図１０参照）と天板１２０に対して垂直な第２の位置との間で移動可能である。第２の支持部材１３２の一端は天板１２０にヒンジ結合され、他端は移動板１４０の後面にヒンジ結合されてもよい。また、二つの第２の支持部材１３２の一端は天板１２０にヒンジ結合し、他端は移動板フレーム１４１にそれぞれヒンジ結合してもよい。従って、移動板１４０の上端が上方に移動し下端が後方へ移動すると、第２の支持部材１３２は天板１２０に垂直になる。また、机３００は第２の支持部材１３２の一端を回動させるための駆動手段を含んでもよい。駆動手段は駆動モータと、駆動モータの回転軸に結合する駆動ギヤと第２の支持部材１３２の一端に形成されるギヤ歯を含んでもよい。本実施形態の机３００は、天板１２０および移動板１４０にそれぞれヒンジ結合する点を除いては、図３〜図６に示す実施形態による机１００と同一または類似の構成を有する。
【００４０】
図１１〜図１３を参照すると、本発明の他の実施形態の机４００は、支持脚１１０と、天板１２０と、支持部材４３０と、移動板１４０と、垂直板１５０と、駆動手段４６０とを含む。本実施形態の机４００は、支持部材４３０および駆動手段４６０の構造を除いては、図３〜図６に示す実施形態による机１００と同一または類似の構成を有する。よって、本実施形態では支持部材４３０および駆動手段４６０について詳細に説明する。
【００４１】
図１１に示すように、支持部材４３０は第１〜第４のリンク部材４３１、４３２、４３３、４３４と連結部材４３５とを含んでもよい。第１のリンク部材４３１の下端は天板１２０にヒンジ結合し、第２のリンク部材４３２の下端は天板１２０上で前後方向に移動可能に構成される。第１および第２のリンク部材４３１、４３２は略中間地点で互いに交差するようにヒンジ結合する。第１のリンク部材４３１の上端は第４のリンク部材４３４の下端にヒンジ結合し、第２のリンク部材４３２の上端は第３のリンク部材４３３の下端にヒンジ結合する。第３のリンク部材４３３の上端は第４のリンク部材４３４の上端とヒンジ結合する。連結部材４３５は第４のリンク部材４３４と常に一直線をなすように第４のリンク部材４３４の上側に結合する。本実施形態の連結部材４３５は図３〜図６に示す実施形態の連結部材１３１に対応する。
【００４２】
図１２に示すように、駆動手段４６０は駆動モータ４６１と、ネジ軸４６２と、ナット部材４６３とを含んでもよい。駆動モータ４６１は天板１２０の前方または後方に固定される。駆動モータ４６１の回転軸にはネジ軸４６２が結合する。ナット部材４６３はネジ軸４６２にネジ結合し、ネジ軸４６２とナット部材４６３との間には複数のボールが介在する。本実施形態において、ナット部材４６３の上側には第２のリンク部材４３２の下端がヒンジ結合する。従って、駆動モータ４６１が回転するに伴って、ナット部材４６３はネジ軸４６２に沿ってネジ移動する。しかし、本発明の駆動手段は駆動モータとボールネジに限定されず、油空圧アクチュエータ、ベルトおよびプーリ、ラックピニオンギヤなどを含んでもよい。
【００４３】
移動板１４０は天板１２０に対し傾斜する第１の位置（図１１参照）と天板１２０に対し垂直な第２の位置との間および第１の位置と天板１２０に対し平行な第３の位置（図１３参照）との間で移動可能である。
【００４４】
例えば、駆動モータ４６１が一方向に駆動すると、ナット部材４６３にヒンジ結合した第２のリンク部材４３２の下端が第１のリンク部材４３１の下端から遠ざかるように移動する。これにより、支持部材４３０は下方に折り畳まれ、連結部材４３５を下方に移動させる。これと同時に、移動板１４０の下端は前方へ移動し、上端は連結部材４３５内で上方へ移動する。そして、垂直板１５０の下端は移動板１４０に沿って下方かつ前方へ移動する。その結果、移動板１４０および垂直板１５０は図１３に示すように天板１２０と略平行に重なる。この場合、第１のアーム１４３は回転して移動板フレーム１４１に対してほぼ垂直に位置する。駆動モータ４６１が前記一方向と反対の方向に駆動すると、ナット部材４６３にヒンジ結合した第２のリンク部材４３２の下端が第１のリンク部材４３１の下端に向かって移動する。これにより、支持部材４３０は上方に開き、連結部材４３５を上方に移動させる。これと同時に、移動板１４０の下端は後方へ移動し、上端は連結部材４３５内で上方へ移動する。そして、垂直板１５０の下端は移動板１４０に沿って後方かつ上方に移動する。その結果、本実施形態の机４００は図１１に示すところと同じ状態となる。
【００４５】
図１４および図１５を参照すると、本発明の他の実施形態による机５００は、支持脚１１０と、天板１２０と、支持部材５３０と、移動板１４０と、垂直板１５０と、駆動手段５６０とを含む。本実施形態の机５００は、支持部材５３０および駆動手段５６０の構造を除いては、図３〜図６に示す実施形態による机１００と同一または類似の構成を有する。よって、本実施形態では支持部材５３０および駆動手段５６０について詳細に説明する。
【００４６】
図１４および図１５に示すように、支持部材５３０は第１〜第４のリンク部材５３１、５３２、５３３、５３４と、横バー５３５と、連結部材５３６とを含んでもよい。第１および第２のリンク部材５３１、５３２の下端は天板１２０上で左右方向に移動可能に構成される。第１および第２のリンク部材５３１、５３２は略中間地点で互いに交差するように互いにヒンジ結合する。第１のリンク部材５３１の上端は第４のリンク部材５３４の下端にヒンジ結合し、第２のリンク部材５３２の上端は第３のリンク部材５３３の下端にヒンジ結合する。第３および第４のリンク部材５３３、５３４の上端は横バー５３５の下側にそれぞれヒンジ結合する。横バー５３５の両端には連結部材５３６が垂直に結合する。本実施形態の連結部材５３６が図３〜図６に示す実施形態の連結部材１３０に対応する。
【００４７】
駆動手段５６０は駆動モータ５６１と、ネジ軸５６２と、第１および第２のナット部材５６３、５６４とを含んでもよい。駆動モータ５６１は天板１２０の左側または右側に固定される。駆動モータ５６１の回転軸にはネジ軸５６２が結合する。第１のナット部材５６３はネジ軸５６２にネジ結合し、ネジ軸５６２と第１のナット部材５６３との間には複数のボールが介在する。そして、第２のナット部材５６４はネジ軸５６２にネジ結合せずに、単にネジ軸５６２に沿って移動するように構成される。本実施形態において、第１のナット部材５６３の上側には第１のリンク部材５３１の下端がヒンジ結合し、第２のナット部材５６４の上側には第２のリンク部材５３２の下端がヒンジ結合する。従って、駆動モータ５６１が回転するに伴って、第１のナット部材５６３はネジ軸５６２に沿ってネジ移動する。そして、第２のナット部材５６４は第１および第２のリンク部材５３１、５３２間の相互作用によりネジ軸５６２に沿って移動する。しかし、本発明の駆動手段は駆動モータとボールネジに限定されず、油空圧アクチュエータ、ベルトおよびプーリ、ラックピニオンギヤなどを含んでもよい。
【００４８】
例えば、駆動モータ５６１が一方向に駆動すると、第１のナット部材５６３にヒンジ結合された第１のリンク部材５３１の下端と第２のナット部材５６４にヒンジ結合された第２のリンク部材５３２の下端は互いに対して遠ざかるように移動する。これにより、支持部材５３０は下方に折り畳まれ横バー５３５と連結部材５３６を下方に移動させる。これと同時に、移動板１４０の下端は前方へ移動し、上端は連結部材５３６内で上方へ移動する。そして、垂直板１５０の下端は移動板１４０に沿って前方かつ下方に移動する。その結果、移動板１４０は天板１２０に略平行に配置され、垂直板１５０は移動板１４０に傾斜するように配置されてもよい。駆動モータ５６１が前記一方向と反対の方向に駆動すると、第１のナット部材５６３にヒンジ結合した第１のリンク部材５３１の下端と第２のナット部材５６４にヒンジ結合した第２のリンク部材５３２の下端は互いに向かって近づくように移動する。これにより、支持部材５３０は上方に開き、横バー５３５と連結部材５３６を上方に移動させる。これと同時に、移動板１４０の下端は後方へ移動し、上端は連結部材５３６内で上方へ移動する。そして、垂直板１５０の下端は移動板１４０に沿って後方かつ上方に移動する。その結果、移動板１４０および垂直板１５０は図１４に示すところと同じ状態となる。
【００４９】
図１６および図１７を参照すると、本発明の他の実施形態による机６００は、支持脚１１０と、天板１２０と、支持部材６３０と、駆動手段６６１、６６２とを含む。本実施形態の机６００は、支持部材６３０および駆動手段６６１、６６２の構造を除いては、図１４および図１５に示す実施形態による机５００と同一または類似の構成を有する。よって、本実施形態では支持部材６３０および駆動手段６６１、６６２について詳細に説明する。
【００５０】
図１６および図１７に示すように、支持部材６３０は、第１の横バー６３１と、第１〜第４のリンク部材６３２、６３３、６３４、６３５と、第２の横バー６３６と、連結部材６３７とを含む。第１の横バー６３１は天板１２０に結合する。第１の横バー６３１の両端には第１および第２のリンク部材６３２、６３３の下端がそれぞれヒンジ結合する。第１および第２のリンク部材６３２、６３３の上端にはそれぞれ第３および第４のリンク部材６３４、６３５の下端がヒンジ結合する。第３および第４のリンク部材６３４、６３５の上端はそれぞれ第２の横バー６３６の下側にヒンジ結合する。第２の横バー６３６の両端には連結部材６３７が垂直に結合する。
【００５１】
図１６に示すように、駆動手段６６１は第２の横バー６３６の下側に結合するプランジャ６６１ａと、机６００の下側に結合する油空圧アクチュエータ６６１ｂとを備える。油空圧アクチュエータ６６１ｂは支持脚１１０の間に配置される支持板６６１ｃに結合する。従って、油空圧アクチュエータ６６１ｂの作動により、第２の横バー６３６と連結部材６３７は上下方向に移動可能である。以下で、油空圧アクチュエータは油圧駆動装置および空圧駆動装置を包括するものと理解しなければならない。
【００５２】
図１７に示すように、駆動手段６６２は第２の横バー６３６の下側に結合する駆動モータ６６２ａと、駆動モータ６６２ａの回転軸に結合するネジ軸６６２ｂと第１の横バー６３１に結合してネジ軸６６２ｂにネジ結合するナット部材６６２ｃとを備える。駆動モータ６６２ａの作動により、第２の横バー６３６と連結部材６３７は上下方向に移動可能である。
【００５３】
図１８および図１９を参照すると、本発明の他の実施形態による机７００は、支持脚１１０と、天板１２０と、支持部材７３０と、駆動手段７６１、７６２とを含む。本実施形態の机７００は、支持部材７３０および駆動手段７６１、７６２の構造を除いては、図１４〜図１７に示す実施形態による机５００、６００と同一または類似の構成を有する。よって、本実施形態では支持部材７３０および駆動手段７６１、７６２について詳細に説明する。
【００５４】
図１８および図１９に示すように、支持部材７３０は第１および第２のガイド部材７３１、７３２と横バー７３３と、連結部材７３４とを含む。第１および第２のガイド部材７３１、７３２は天板１２０を貫通して支持脚１１０の内側に挿入され上下方向にスライド可能に構成される。このために、支持脚１１０は中空のフレーム状に備えられてもよい。第１のガイド部材７３１と第２のガイド部材７３２との上端の間には横バー７３３が結合する。横バー７３３の両端には連結部材７３４が垂直に結合する。
【００５５】
図１８に示すように、駆動手段７６１は横バー７３３の下側に結合するプランジャ７６１ａと、机７００の下側に結合する油空圧アクチュエータ７６１ｂとを備える。油空圧アクチュエータ７６１ｂは支持脚１１０の間に配置される支持板７６１ｃに結合する。従って、油空圧アクチュエータ７６１ｂの作動により、横バー７３３と連結部材７３４は上下方向に移動可能である。
【００５６】
図１９に示すように、駆動手段７６２は横バー７３３の下側に結合する駆動モータ７６２ａと、駆動モータ７６２ａの回転軸に結合するネジ軸７６２ｂと、天板１２０に結合してネジ軸７６２ｂにネジ結合するナット部材７６２ｃとを備える。よって、駆動モータ７６２ａの作動により、横バー７３３と連結部材７３４は上下方向に移動可能である。
【００５７】
図２０および図２1を参照すると、本発明の他の実施形態による机８００は、支持脚１１０と、天板１２０と、支持部材８３０と、移動板８４０と、垂直板１５０と、駆動手段８６０とを含む。本実施形態の机８００は、支持部材８３０と、移動板８４０と駆動手段８６０の構造を除いては、図３〜図６に示す実施形態による机１００と同一または類似の構成を有する。従って、本実施形態では支持部材８３０と、移動板８４０と駆動手段８６０について説明する。
【００５８】
図２０および図２１に示すように、支持部材８３０は天板１２０の後方両側に垂直に結合する。支持部材８３０の上部にはガイド溝８３１が形成されている。移動板フレーム８４１の下端は第１のアーム８４３により駆動手段８６０に連結される。第１のアーム８４３の一端は移動板フレーム８４１の下端に固定してまたは回転可能に結合し、他端はナット部材８６３にヒンジ結合する。移動板フレーム８４１の上端は第２のアーム８４５により支持部材８３０の上部に連結される。第２のアーム８４５の一端は移動板フレーム８４１の上端に固定され、第２のアーム８４５の他端はガイド溝８３１内で上下方向にスライドする。
【００５９】
図２１に示すように、駆動手段８６０はナット部材８６３の他に駆動モータ８６１と、ネジ軸８６２とを含んでもよい。駆動モータ８６１は天板１２０の前方または後方に固定される。駆動モータ８６１の回転軸にはネジ軸８６２が結合する。ネジ軸８６２は天板１２０に平行に配置される。ナット部材８６３はネジ軸８６２にネジ結合し、ネジ軸８６２とナット部材８６３との間には複数のボールが介在する。従って、駆動モータ８６１が回転するに伴って、ナット部材８６３はネジ軸８６２に沿ってネジ移動する。しかし、本発明の駆動手段は駆動モータとボールネジに限定されず、油空圧アクチュエータ、ベルトおよびプーリ、ラックピニオンギヤなどを含んでもよい。
【００６０】
例えば、駆動モータ８６１が一方向に駆動すると、第１のアーム８４３の一端が後方へ移動し、第２のアーム８４５の他端がガイド溝８３１に沿ってガイド溝８３１の上方へ移動する。そして、垂直板１５０は移動板８４０に沿って下方かつ後方へ移動する。その結果、移動板８４０および垂直板１５０は天板１２０と略垂直に折り畳まれる。駆動モータ８６１が一方向と反対の方向に駆動すると、第１のアーム８４３の一端が前方へ移動し、第２のアーム８４５の他端がガイド溝８３１に沿ってガイド溝８３１の下端へ移動する。そして、垂直板１５０は移動板８４０に沿って上方かつ前方へ移動する。その結果、移動板８４０および垂直板１５０は図２０に示すところと同じ状態となる。
【００６１】
机８００の他の変形例において、移動板８４０の上端が駆動手段８６０により支持部材８３０に沿って上下方向に移動するように構成されてもよい。このために、駆動手段８６０のネジ軸８６２は支持部材８３０に平行に配置され、移動板フレーム８４１の上端がナット部材にヒンジ結合する。
【００６２】
図２２を参照すると、本発明の他の実施形態による机９００は、支持脚１１０と、天板１２０と、支持部材１３０と、移動板９４０と、垂直板９５０と、拡張板９６０とを含む。本実施形態の机９００は、移動板９４０と、垂直板９５０と拡張板９６０の構造を除いては、図３〜図２１に示す実施形態による机１００、２００、３００、４００、５００、６００、７００、８００と同一または類似の構成を有する。従って、本実施形態では移動板９４０と、垂直板９５０と拡張板９６０について詳細に説明する。
【００６３】
移動板９４０の左右側には第１補助板９４０ａ、９４０ｂが備えられてもよい。第１補助板９４０ａ、９４０ｂは蝶番などを通じて移動板９４０の左右側に回転可能に結合する。即ち、第１補助板９４０ａ、９４０ｂは回転して移動板９４０に折り畳まれる。また、第１補助板９４０ａ、９４０ｂの下端には受け台が折り畳み式に備えられる。従って、第１補助板９４０ａ、９４０ｂの受け台がまず折り畳まれた後に、第１補助板９４０ａ、９４０ｂが移動板９４０に折り畳まれなければならない。
【００６４】
垂直板９５０の左右側には第２補助板９５０ａ、９５０ｂが備えられてもよい。第２補助板９５０ａ、９５０ｂは蝶番などを通じて垂直板９５０の左右側に回転可能に結合する。即ち、第２補助板９５０ａ、９５０ｂは回転して垂直板９５０に折り畳まれる。また、第２補助板９５０ａ、９５０ｂの下端には受け台が折り畳み式に備えられる。第２補助板９５０ａ、９５０ｂの受け台がまず折り畳まれた後に、第２補助板９５０ａ、９５０ｂが垂直板９５０に折り畳まれなければならない。
【００６５】
垂直板９５０の上側には拡張板９６０が備えられ、拡張板９６０の左右側には第３補助板９６０ａ、９６０ｂが備えられてもよい。拡張板９６０は蝶番などを通じて垂直板９５０の上端に回転可能に結合する。即ち、拡張板９６０は回転して垂直板９５０に折り畳まれる。第３補助板９６０ａ、９６０ｂは蝶番などを通じて拡張板９６０の左右側に回転可能に結合する。即ち、第３補助板９６０ａ、９６０ｂは回転して拡張板９６０に折り畳まれる。また、拡張板９６０と第３補助板９６０ａ、９６０ｂの下端にはそれぞれ受け台が折り畳み式に備えられる。第３補助板９６０ａ、９６０ｂの受け台がまず畳まれた後に、第３補助板９６０ａ、９６０ｂが拡張板９６０に折り畳まれなければならない。また、第２補助板９５０ａ、９５０ｂが垂直板９５０に折り畳まれた後に、第３補助板９６０ａ、９６０ｂが折り畳まれた拡張板９６０が垂直板９５０に折り畳まれなければならない。
【００６６】
図２３を参照すると、本発明の一実施形態による移動板２４０は、支持板と、固定板２４１と、回転板２４２と、カバー２４３と、受け台２４４とを含む。固定板２４１は支持板に結合する。固定板２４１の下端には複数の受け台２４４が折り畳み式に備えられてもよい。回転板２４２は固定板２４１の上側に位置し支持板に結合する回転軸２４２ａを中心に回転する。回転軸２４２ａは回転板２４２の上側に配置され、回転板２４２は自重により常に図２３の状態を維持する。即ち、回転板２４２が一方向に回転しても、使用後に回転板２４２は回転軸２４２ａを中心に回転して本来の位置に戻る。カバー２４３は回転板２４２の回転時に回転板２４２の一側部が露出するのを防ぐ。また、移動板２４０は図３〜図６に示す実施形態の第１のアーム１４３と第１のローラ１４４とを備えてもよい。このような構成により、移動板２４０にノートなどを置いて筆記するとき、ユーザーは上体を動かさずに回転板２４２を回転させて容易に筆記することができる。
【００６７】
図２４を参照すると、本発明の一実施形態による机１０００は水平板１０１０と、第１の傾斜板１０２０と、第２の傾斜板１０３０とを含み携帯型として用いられる。
【００６８】
水平板１０１０は机の天板の役割をする。水平板１０１０の左右側および後方には水平板フレーム１０１１が結合する。水平板フレーム１０１１は第１の傾斜板１０２０を支持する役割をする。また、水平板１０１０は水平板フレーム１０１１に対してスライドするように水平板フレーム１０１１に結合してもよい。
【００６９】
第１の傾斜板１０２０は水平板１０１０に対する傾斜角を調節できるように構成される。第１の傾斜板１０２０の両側には第１の傾斜板フレーム１０２１が結合する。第１の傾斜板フレーム１０２１の下端は水平板フレーム１０１１の前端に回転可能に結合する。第１の傾斜板１０２０の下端には第１の受け台１０２２が折り畳み式に備えられる。
【００７０】
第２の傾斜板１０３０は第１の傾斜板１０２０に対する傾斜角を調節できるように構成される。第２の傾斜板１０３０の両側には第２の傾斜板フレーム１０３１が結合する。第２の傾斜板フレーム１０３１の下端は第１の傾斜板フレーム１０２１の上端に回転可能に結合する。第２の傾斜板１０３０の下端には第２の受け台１０３２が折り畳み式に備えられる。
【００７１】
図３〜図６に示す実施形態の支持アーム１２５と支持脚１１０の回転可能な結合は第１の傾斜板フレーム１０２１の下端と水平板フレーム１０１１の前端との結合および第２の傾斜板フレーム１０３１の下端と第１の傾斜板フレーム１０２１の上端との結合に適用されてもよい。
【００７２】
傾斜板１０２０が水平板１０１０に対して下方に回転し第２の傾斜板１０３０が第１の傾斜板１０２０に対して下方に回転すると、本実施形態による机１０００は水平板１０１０と、第１の傾斜板１０２０と第２の傾斜板１０３０が揃って重なる。従って、ユーザーは机１０００を携帯して運ぶことが容易である。また、ユーザーは第２の傾斜板１０３０を第１の傾斜板１０２０に対して上方に回転させ第１の傾斜板１０２０を水平板１０１０に対して上方に回転させ、任意の場所で机１０００を用いることができる。
【００７３】
図２５および図２６を参照すると、本発明の一実施形態による机１１００は支持脚１１０と、天板１１２０と、第１および第２の傾斜板１１３０、１１４０と、駆動手段１１５０とを含む。
【００７４】
天板１１２０は支持脚１１０の上側に結合して第１の傾斜板１１３０を支持する。天板１１２０の前方にはクッション部材１１２１が備えられてもよい。
【００７５】
第１の傾斜板１１３０は天板１１２０に対する傾斜角を調節できるように構成される。第１の傾斜板１１３０の両側には第１の傾斜板フレーム１１３１が結合する。第１の傾斜板フレーム１１３１の下端には第１のアーム１１３２が結合する。第１のアーム１１３２は水平板１１２０に固定された第１のブラケット１１３３に回転可能に結合する。第１の傾斜板１１３０の下端には第１の受け台１１３４が折り畳み式に備えられてもよい。
【００７６】
第２の傾斜板１１４０は第１の傾斜板１１３０に対する傾斜角を調節できるように構成される。第２の傾斜板１１４０の両側には第２の傾斜板フレーム１１４１が結合する。第２の傾斜板フレーム１１４１の下端には第２のアーム１１４２が結合する。第２のアーム１１４２は第１の傾斜板１１３０に固定された第２のブラケット１１４３に回転可能に結合する。第２の傾斜板１１４０の下端には第２の受け台１１４４が折り畳み式に備えられてもよい。
【００７７】
図２６を参照にすると、第１および第２のアーム１１３２、１１４２の端部にはギヤ歯１１３２ａ、１１４２ａが形成される。駆動手段１１５０は第１および第２のアーム１１３２、１１４２と第１および第２のブラケット１１３３、１１４３との間に配置される。しかし、図３〜図６に示す実施形態の支持アーム１２５と支持脚１１０の回転可能な結合が第１および第２のアームと第１および第２のブラケットとの間にそれぞれ適用されてもよい。
【００７８】
駆動手段１１５０は駆動モータ１１５１と、駆動ギヤ１１５２と、ギヤトレーン１１５３とを含む。駆動モータ１１５１は天板１１２０および第１の傾斜板１１３０に固定される。駆動ギヤ１１５２は駆動モータ１１５１の回転軸に結合する。ギヤトレーン１１５３は駆動ギヤ１１５２とギヤ歯１１３２ａ、１１４２ａとの間に配置され、駆動ギヤ１１５２の回転速度を減速させる役割をする。従って、駆動モータ１１５１の回転により、天板１１２０に対する第１の傾斜板１１３０の傾斜角および第１の傾斜板１１３０に対する第２の傾斜板１１４０の傾斜角が電動で調節できる。
【００７９】
図２７を参照すると、本発明の一実施形態による机１２００は、側面仕切り板１２１１と、後面仕切り板１２１２と、天板１２０と、支持部材１３０と、移動板１４０と、垂直板１５０と、本たて１２６０と、収納クローゼット１２７０と、足かけ１２８１、１２８２と、前面ドア１２９１とを含み読書室型机として用いられてもよい。図３〜図６に示す実施形態の天板１２０と、支持部材１３０と、移動板１４０と、垂直板１５０が本実施形態の机１２００に適用されてもよい。また、本実施形態において、天板と、支持部材と、移動板と垂直板は図７〜図２３に示す実施形態に応じて多様に変形されて実施されてもよい。従って、本実施形態では側面仕切り板１２１１と、後面仕切り板１２１２と、本たて１２６０と、収納クローゼット１２７０と、足かけ１２８１、１２８２について詳細に説明する。
【００８０】
側面仕切り板１２１１は支持脚およびパーティションの役割をする。側面仕切り板１２１１は天板１２０の左右側に垂直に配置され、後面仕切り板１２１２は天板１２０の後方に垂直に配置される。
【００８１】
本たて１２６０は支持部材１３０と後面仕切り板１２１２との間に配置される。前述のとおり、移動板１４０を移動板フレーム１４１に対し回転させ、垂直板１５０を垂直板フレーム１５１に対して回転させた状態で、ユーザーは本たて１２６０を用いることができる。
【００８２】
また、本たて１２６０の上端には収納クローゼット１２７０が配置されてもよい。収納クローゼット１２７０は開閉可能なドア１２７１を備えてもよい。ドア１２７１は多様な形態のロック手段を備えてもよい。
【００８３】
側面仕切り板１２１１の間（即ち、天板１２０の下側）には複数の足かけ１２８１、１２８２が備えられてもよい。複数の足かけ１２８１、１２８２は多様な高さに設けられてもよい。従って、ユーザーは体型や姿勢に応じた適切な高さの足かけに足をのせることができる。
【００８４】
前面ドア１２９１は側面仕切り板１２１１の前端に蝶番１２９２により開閉可能に結合する。従って、ユーザーは前面ドア１２９１を開けて出入りし、前面ドア１２９１を閉じた状態で机１２００を用いることができる。その結果、ユーザーに独立した空間を提供できる。
【００８５】
図２８を参照すると、本発明の一実施形態による机１３００は、ガイド部材１３１１と、支持脚１３１２と、天板１２０と、支持部材４３０と、移動板１４０と、垂直板１５０と、駆動手段４６０と、第２の駆動手段１３６０とを含む。図１１〜図１５に示す実施形態の天板１２０と、支持部材４３０、５３０と、移動板１４０と、垂直板１５０と駆動手段４６０が本実施形態の机１３００に適用されてもよい。従って、本実施形態では、ガイド部材１３１１と、支持脚１３１２と、第２の駆動手段１３６０について詳細に説明する。
【００８６】
図２８に示すように、ガイド部材１３１１は地面に垂直に設けられる。ガイド部材１３１１は支持脚１３１２が挿入できるように中空状である。また、ガイド部材１３１１はガイド部材１３１１の長手方向に沿ってガイド溝が形成されている。支持脚１３１２はＬ字状であり、水平部１３１２ａと垂直部１３１２ｂに区分される。水平部１３１２ａは天板１２０の下側に結合し、垂直部１３１２ｂはガイド部材１３１１の内側に挿入され上下方向にスライドする。
【００８７】
第２の駆動手段１３６０は駆動モータ１３６１と、駆動シャフト１３６２と、リール１３６３と、ワイヤ１３６４とを含む。駆動モータ１３６１は建物の壁や天井に固定される。駆動シャフト１３６２は駆動モータ１３６１の回転軸に結合する。ワイヤ１３６４が巻き取られるリール１３６３は駆動シャフト１３６２の両端に配置される。ワイヤ１３６４の一端は天板１２０または支持脚１３１２に結合し、他端はリール１３６３に結合する。
【００８８】
図２８に示す状態において、駆動モータ１３６１が一方向に回転すると、ワイヤ１３６４がリール１３６３に巻き取られる。従って、支持脚１３１２の垂直部１３１２ｂはガイド部材１３１１に沿って上方に移動する。その結果、机１３００が上昇する。反対に、駆動モータ１３６１が前記一方向と反対の方向に回転するに伴って、ワイヤ１３６４がリール１３６３からほどける。従って、机１３００の自重により、支持脚１３１２の垂直部１３１２ｂはガイド部材１３１１に沿って下方に移動する。その結果、机１３００が下降する。
【００８９】
机１３００が昇降するに伴って、移動板１４０および垂直板１５０が重なったり開いたりすることができる。このために、ガイド部材１３１１の略中間地点にはリミットスイッチがさらに備えられてもよい。例えば、天板１２０が上方に移動してリミットスイッチに接触すると、移動板１４０および垂直板１５０が図１３に示すように水平方向に重なるよう駆動手段４６０が作動する。また、天板１２０が下方に移動してリミットスイッチに接触すると、移動板１４０および垂直板１５０が図２８に示すように開くよう駆動手段４６０が作動する。
【００９０】
図２９を参照すると、本発明の他の実施形態による机１４００は、支持脚１４１０と、天板１２０と、支持部材４３０と、移動板１４０と、垂直板１５０と、第１の駆動手段４６０と、映像表示装置１４６０と、第２の駆動手段１４７０とを含む。図１１〜図１５に示す実施形態の天板１２０と、支持部材４３０、５３０と、移動板１４０と、垂直板１５０と、駆動手段４６０が本実施形態の机１４００に適用されてもよい。従って、本実施形態では、支持脚１４１０と、映像表示装置１４６０と第２の駆動手段１４７０について詳細に説明する。
【００９１】
支持脚１４１０は天板１２０の下側に回転可能に結合する。支持脚１４１０は第３の駆動手段によって電動で回転することができる。映像表示装置１４６０はスクリーンまたは薄膜型ＴＶからなりＴＶ視聴やＴＶ会議などに活用することができる。映像表示装置１４６０はコンピュータ用大型モニタの役割もすることができる。また、映像表示装置１４６０は第２の駆動手段１４７０により昇降可能に構成される。
【００９２】
第２の駆動手段１４７０は、駆動モータ１４７１と、駆動シャフト１４７２と、第１および第２のリール１４７３、１４７４と、第１および第２のワイヤ１４７５、１４７６と、複数のガイドプーリ１４７７とを含む。駆動モータ１４７１は建物の壁や天井に固定される。駆動シャフト１４７２は駆動モータ１４７１の回転軸に結合する。第１のリール１４７３は駆動シャフト１４７２の両端に配置され、第２のリール１４７４は第１のリール１４７３の内側に配置される。第１のリール１４７３と第２のリール１４７４の直径比率は映像表示装置１４６０および天板１２０の上下移動距離に応じて適切に定められる。第１および第２のリール１４７３、１４７４にはそれぞれ第１および第２のワイヤ１４７５、１４７６が巻き取られる。第１のワイヤ１４７５の一端は天板１２０または支持脚１４１０に結合し、他端は第１のリール１４７３に結合する。ガイドプーリ１４７７は建物の壁や天井に固定される。ガイドプーリ１４７７は第１のワイヤ１４７５の方向を変えて第１のワイヤ１４７５をガイドする役割をする。第２のワイヤ１４７６の一端は映像表示装置１４６０に結合し、他端は第２のリール１４７４に結合する。図２９に示すように、駆動モータ１４７１と、駆動シャフト１４７２とガイドプーリ１４７７は別途に備えられるフレーム１４８０に装着することができる。
【００９３】
図２９に示す状態において、駆動モータ１４７１が一方向に回転すると、第１のワイヤ１４７５が第１のリール１４７３に巻き取られ第２のワイヤ１４７６が第２のリール１４７４からほどける。従って、机１４００が上昇し、映像表示装置１４６０が下降する。反対に、駆動モータ１４７１が前記一方向と反対の方向に回転するに伴って、第１のワイヤ１４７５がリール１３６３からほどけ第２のワイヤ１４７６が第２のリール１４７４に巻き取られる。従って、机１４００が下降し、映像表示装置１４６０が上昇する。
【００９４】
天板１２０が昇降するに伴って、支持脚１４１０と、移動板１４０と垂直板１５０が重なったり開いたりすることができる。このために、建物の壁やフレーム１４８０にリミットスイッチ（図示省略）が備えられ、第１のワイヤ１４７５の水平部分の略中間地点にはリミットスイッチと接触する接触片（図示省略）がさらに備えられてもよい。例えば、天板１２０の上方移動により接触片がリミットスイッチに接触すると、移動板１４０および垂直板１５０が水平方向に重なるように駆動手段４６０が作動する。これと同時に、支持脚１４１０が天板１２０の下面に重なるように第３の駆動手段が作動する。また、天板１２０の下方移動により接触片がリミットスイッチに接触すると、移動板１４０および垂直板１５０が開くように駆動手段４６０が作動する。これと同時に、支持脚１４１０が天板１２０から開くように第３の駆動手段が作動する。
【００９５】
図３０を参照すると、本発明の一実施形態によるシステム家具１５００は、机１３００と、映像表示装置１４６０と、収納クローゼット１５１０と、駆動手段１５２０とを含む。図２８および図２９に示す実施形態の机１３００、１４００と図２９に示す実施形態の映像表示装置１４６０が本実施形態のシステム家具１５００に適用されてもよい。よって、本実施形態では収納クローゼット１５１０および駆動手段１５２０を詳細に説明する。
【００９６】
図３１に示すように、収納クローゼット１５１０は固定収納クローゼット１５１１と、可動収納クローゼット１５１２と、ローラ１５１３と、ガイド部材１５１４と、スライド部材１５１５とを含む。固定収納クローゼット１５１１は地面に固定される。可動収納クローゼット１５１２は固定収納クローゼット１５１１に対して引き出しおよび押し込み可能に構成される。このために、可動収納クローゼット１５１２の下面には複数のローラ１５１３が装着される。また、固定収納クローゼット１５１１の内側には複数列のガイド部材１５１４が装着され、可動収納クローゼット１５１２の両側にはガイド部材１５１４に対応する複数列のスライド部材１５１５が装着される。従って、可動収納クローゼット１５１２が引き出されたり押し込まれる間、ガイド部材１５１４はスライド部材１５１５をガイドする。可動収納クローゼット１５１２が固定収納クローゼット１５１１に対して引き出された状態では、ユーザーは固定収納クローゼット１５１１の内側空間を活用することもできる。収納クローゼット１５１０は本たて、衣装タンスおよび引き出しなどで構成することができ、これらの組み合わせで構成することもできる。
【００９７】
本実施形態において、図２７に示す机１３００のガイド部材１３１１の代わりに、図３０に示すように、固定収納クローゼット１５１１の前方には机１３００の両側部をガイドするための第１ガイド溝１５１６が垂直方向に形成されてもよい。また、固定収納クローゼット１５１１の後方には映像表示装置１４６０の両側部をガイドするための第２ガイド溝がさらに形成されてもよい。
【００９８】
図３０に示すように、駆動手段１５２０は駆動モータ１５２１と、駆動シャフト１５２２と、第１および第２のリール１５２３、１５２４と、第１および第２のワイヤ１５２５、１５２６と、ガイドプーリ１５２７とを備える。駆動モータ１５２１は収納クローゼット１５１０の上側に固定される。駆動シャフト１５２２は駆動モータ１５２１の回転軸に結合する。第１のリール１５２３は駆動シャフト１５２２の両端に配置され、第２のリール１５２４は第１のリール１５２３の内側に配置される。第１のリール１５２３と第２のリール１５２４の直径比率は映像表示装置１４６０および天板１２０の上下移動距離に応じて適切に定められる。第１のワイヤ１５２５の一端は天板１２０に結合し、他端は第１のリール１５２３に結合する。第２のワイヤ１５２６の一端は映像表示装置１４６０に結合し、他端は第２のリール１５２４に結合する。第１のリール１５２３に第１のワイヤ１５２５が巻き取られる間、第２のリール１５２４に巻き取られた第２のワイヤ１５２６がほどけるように構成されてもよい。即ち、第１および第２のワイヤ１５２５、１５２６の巻取方向が互いに反対である。従って、第２のリール１５２４に第２のワイヤ１５２６が巻き取られる間、第１のリール１５２３に巻き取られた第１のワイヤ１５２５はほどける。
【００９９】
駆動モータ１５２１が一方向に回転すると、天板１２０が上昇し映像表示装置１４６０が下降する。また、駆動モータ１５２１が前記一方向と反対の方向に回転すると、天板１２０が下降し、映像表示装置１４６０が上昇する。
【０１００】
図３２および図３３を参照すると、本発明の他の実施形態によるシステム家具１６００は、図３０および図３１に示す実施形態のシステム家具１５００に、ベッド１６１０と、ソファ１６２０と、駆動手段１６３０とをさらに含む。
【０１０１】
図３２〜図３４を参照すると、ベッド１６１０はマットレス１６１１と、ベッドフレーム１６１２とを含む。本実施形態では、多様な形態およびサイズのマットレス１６１１が用いられてもよい。ベッドフレーム１６１２はマットレス１６１１のサイズに応じて多様な形態およびサイズを有してもよい。ベッドフレーム１６１２はマットレス１６１１の側面および下面に配置されマットレス１６１１を支持する。また、ベッドフレーム１６１２は両側に配置された収納クローゼット１５１０に上下方向に移動可能に設けられる。このために、ベッドフレーム１６１２はマットレス１６１１の前後に配置されるガイドフレーム１６１２ａとマットレス１６１１の両側に配置される支持フレーム１６１２ｂとを含む。また、第１のガイド溝１５１６の後方および収納クローゼット１５１０の後方には第３のガイド溝１５１８が形成される。即ち、ガイドフレーム１６１２ａの両端が第３のガイド溝１５１８に挿入されて第３のガイド溝１５１８に沿って上下方向に移動する。
【０１０２】
図３２に示すように、複数のソファ１６２０が収納クローゼット１５１０の間に備えられてもよい。ソファ１６２０は通常来客の接待または休息のために用いられる。ソファ１６２０はひじかけ１６２１と、支持脚１６２２と、ローラ１６２３とを備える。ひじかけ１６２１は支持脚１６２２により支持される。支持脚１６２２の下端にはローラ１６２３が結合して任意の位置に移動可能である。例えば、ソファ１６２０は収納クローゼット１５１０を引き出すために他の位置に移動することができる。図３４に示すように、ベッド１６１０が下降した状態で、ベッドフレーム１６１２の下端がソファ１６２０のひじかけ１６２１の上端に置かれる。従って、ソファ１６２０はベッド１６１０を堅固に支持する役割をする。
【０１０３】
駆動手段１６３０はベッド１６１０を電動で昇降する役割をする。図３３に示すように、駆動手段１６３０は駆動モータ１６３１と、駆動シャフト１６３２と、リール１６３３と、複数のワイヤ１６３４とガイドプーリ１６３５とを含む。駆動モータ１６３１は収納クローゼット１５１０の固定収納クローゼット１５１１の上側に固定される。駆動シャフト１６３２は駆動モータ１６３１の回転軸に結合する。複数のワイヤ１６３４が巻き取られるリール１６３３は駆動シャフト１６３２の両端に配置される。ワイヤ１６３４の一端はベッド１６１０のガイドフレーム１６１２ａの両端に結合し、ワイヤ１６３４の他端は駆動モータ１６３１が回転するに伴って複数のワイヤ１６３４がともに巻き取られたりほどけるようにリール１６３３に結合する。ガイドプーリ１６３５は収納クローゼット１５１０の固定収納クローゼット１５１１の上側に固定されワイヤ１６３４の進行方向を変えてガイドする。また、駆動手段１６３０は第２のワイヤと重りとをさらに含んでもよい。第２のワイヤの一端はリール１６３３に結合し、他端は重りに結合する。重りは固定収納クローゼットの内側で上下方向に移動可能に構成されてもよい。重りの使用により、駆動モータ１６３１の容量を小さくできる。
【０１０４】
図３２に示す状態において、駆動モータ１６３１が一方向に回転すると、ワイヤ１６３４はリール１６３３からほどける。従って、ガイドフレーム１６１２ａの両端は第３のガイド溝１５１８に沿って下方に移動し、重りは上方に移動する。その結果、図３４に示すように、ベッド１６１０はソファ１６２０のひじかけ１６２１上に置かれる。この状態で、ユーザーはベッド１６１０を用いることができる。また、図３４に示す状態において、駆動モータ１６３１が前記一方向と反対の方向に回転すると、ワイヤ１６３４はリール１６３３に巻き取られる。従って、ガイドフレーム１６１２ａの両端は第３のガイド溝１５１８に沿って上方に移動し、重りは下方に移動する。その結果、図３２に示すように、ベッド１６１０は上昇する。この状態で、ユーザーは机１３００と、収納クローゼット１５１０と、ソファ１６２０と、映像表示装置１４６０とを用いることができる。本実施形態のシステム家具１６００によれば、狭い室内空間を効率的に活用できる。
【０１０５】
前述の実施形態において、天板、移動板、垂直板、拡張板、第１の補助板、第２の補助板、第３の補助板などはアルミニウムのハニカムボードで構成されてもよい。ハニカムボードは薄い板の間に断面が６角形の薄い金属板を入れて圧着したものであって、軽量で強度が高い。薄い板の間の６角形の空間に複数の永久磁石を介在させ、天板などに置かれた書籍や書類に磁性体を配置することによって、書籍または書類を天板などに容易に固定できる。
【０１０６】
前述の実施形態において、移動板と垂直板は中央部が後方に窪んだ形状のラウンド板で構成されてもよい。また、移動板および垂直板は移動板および垂直板の両側部から連続的に連結する複数の移動板および複数の垂直板を含んでもよい。複数の移動板および複数の垂直板はユーザーを中心に円弧状または円形に配置されてもよい。
【０１０７】
前述の実施形態において、天板、水平板、移動板、垂直板、拡張板、第１の補助板、第２の補助板、第３の補助板などには薄膜型のモニタが備えられ、第１の天板にメインボード、中央処理装置（ＣＰＵ）、メモリ（ＲＡＭ）、ハードディスク、電源供給装置などを備える本体が装着され、コンピュータ一体型机を実現してもよい。この場合、本体とモニタとの間の通信は無線通信で行われることが望ましい。また、天板などにはスピーカ（即ち、立体音響システム）を内蔵することができる。さらに、天板などには画像通信およびＴＶ会議のための画像カメラを装着することができる。
【０１０８】
前述の実施形態は、回転およびスライド移動が駆動手段により電動で行なわれる場合、制御部と操作部とをさらに備えてもよい。制御部は操作部の操作により駆動手段の駆動方向、回転角度や移動距離などを制御するように構成される。即ち、ユーザーが操作部を操作すると、駆動手段は予め定められた駆動方向、回転角度や移動距離などに基づいて動作する。
【０１０９】
以上で説明した本発明は、前述した実施形態および添付の図面によって限定されるのではなく、本発明の技術的思想を逸脱しない範囲内で様々な置換、変形および変更が可能であるということが本発明の属する分野で通常の知識を有する者にとって明らかである。
【図１】
0005745028.tif 000002
【図２】
0005745028.tif 000003
【図３】
0005745028.tif 000004
【図４】
0005745028.tif 000005
【図５】
0005745028.tif 000006
【図６】
0005745028.tif 000007
【図７】
0005745028.tif 000008
【図８】
0005745028.tif 000009
【図９】
0005745028.tif 000010
【図１０】
0005745028.tif 000011
【図１１】
0005745028.tif 000012
【図１２】
0005745028.tif 000013
【図１３】
0005745028.tif 000014
【図１４】
0005745028.tif 000015
【図１５】
0005745028.tif 000016
【図１６】
0005745028.tif 000017
【図１７】
0005745028.tif 000018
【図１８】
0005745028.tif 000019
【図１９】
0005745028.tif 000020
【図２０】
0005745028.tif 000021
【図２１】
0005745028.tif 000022
【図２２】
0005745028.tif 000023
【図２３】
0005745028.tif 000024
【図２４】
0005745028.tif 000025
【図２５】
0005745028.tif 000026
【図２６】
0005745028.tif 000027
【図２７】
0005745028.tif 000028
【図２８】
0005745028.tif 000029
【図２９】
0005745028.tif 000030
【図３０】
0005745028.tif 000031
【図３１】
0005745028.tif 000032
【図３２】
0005745028.tif 000033
【図３３】
0005745028.tif 000034
【図３４】
0005745028.tif 000035